(57)【要約】【課題】  方向に関係なく、端糸の処理を行いながら３本胴仕様の手袋を編成可能な手袋編機を提供する。【解決手段】  手袋編機１０は、編目抑止杆３０、選針ドラムの連続した複数段に同一の長さの選針パターンを設定しなくても、編成効率を低下させない横編機を提供する制御手段３４、および一対のルーパーユニット３５を備える。編目抑止杆３０は、編幅方向に往復移動可能であり、一対の抑糸溝３１，３２を有する。一対のルーパーユニット３５は、構成も作用の方向も図の左右で対称となるように対向し、抑糸溝３１，３２にそれぞれ対応して備えられ、抑糸溝３１，３２を作用させて股重ねを行う際に、端糸を処理する。制御手段３４による制御で、抑糸溝３１，３２を作用させる方向に合せて、ルーパーユニット３５で端糸の処理を行いながら３本胴仕様の手袋を編成することができる。【選択図】図１
2019073819.tif 000002
【特許請求の範囲】
【請求項１】
歯口を挟んで前後に対向する針床を備え、各針床に臨むキャリッジが編幅方向に往復移動し、歯口に上方から臨む給糸口を編幅方向に往復させて、一方向は前針床の編針に他方向は後針床の編針にそれぞれ給糸しながら、筒状の編地として複数の指袋を有する手袋を編成可能で、指袋間で股重ねを行うための編目抑止杆を備える手袋編機において、
先行して編成した指袋または胴の端部の編目を、編幅の一方または他方から抑えて股重ねを行うための一方側および他方側の抑糸溝をそれぞれ有する編目抑止杆と、
歯口の下方から昇降して編糸を捕捉するルーパーと、捕捉した編糸を切断し、生じる端糸を処理する機構とを含むルーパーユニットであって、一方側および他方側の抑糸溝に対して編幅の一方側または他方側にそれぞれ備えられる一方側のルーパーユニットおよび他方側のルーパーユニットと、
編目抑止杆、一方側のルーパーユニットおよび他方側のルーパーユニットを駆動して、３本の指袋を順次編成した後、３本胴を編成するように制御する制御手段と
を含むことを特徴とする手袋編機。
【請求項２】
前記前後に対向する針床には編針とともに歯口側で開閉する可動シンカーが並設され、前記編幅方向に往復移動するキャリッジには、編針を駆動する編成カムとともに、編成カムの一方側および他方側で可動シンカーを開くシンカーカムが搭載される
ことを特徴とする請求項１記載の手袋編機。
【請求項３】
前記給糸口の編成前の待機と編成後の退避は、前記編幅の一方で行い、前記制御手段は、中指、薬指の指袋、３本胴の編成後の小指の指袋の編成に前記一方側の抑糸溝を使用し、４本胴の編成後の親指の指袋の編成に前記他方側の抑糸溝を使用するように制御する
ことを特徴とする請求項１または２記載の手袋編機。
【請求項４】
前記制御手段は、前記３本胴を１コースのみ編成するように制御する
ことを特徴とする請求項１または２記載の手袋編機。
【発明の詳細な説明】
【技術分野】
【０００１】
本発明は、指袋付きの手袋を、編目抑止杆で指袋間の股重ねを行いながら編成する手袋編機に関する。
【背景技術】
【０００２】
従来から、５本の指をそれぞれ収容する指袋付きの手袋を、指袋間の股重ねを行いながら作業用編み手袋などとして編成するための手袋編機が用いられている（たとえば、特許文献１参照）。手袋編機は、横編機の一種であり、歯口を挟む前後に針床を備え、前後の針床に併設する編針のフックを歯口に進退させて、手袋の各指袋や胴の部分は、筒状に編地を編成する。編糸は、歯口の上方を編幅方向に往復する給糸口から、移動の一方向は前針床の編針に、他方向は後針床の編針にそれぞれ給糸する。指袋間、または指袋と胴との間では、編目抑止杆（特許文献１では「抑糸杆」と記載）を使用した股重ねが行われる。
【０００３】
図６は、従来からの手袋編機で編成される４本胴仕様の手袋９の形状を簡略化して示す。手袋９は、小指、薬指、中指、人差指および親指をそれぞれ収容する指袋１，２，３，４，５と、４本胴６と、５本胴７とを有する。編成は、指袋１，２，３，４の順に行い、次いで４本胴６を編成してから指袋５を編成し、最後に５本胴７を編成する。指袋１、２，３，４間の指股は、先に編成する指袋１，２，３の編成後に、図の左方から編目抑止杆を作用させて、特許文献１の第１図や第２図と同様に、編成された指袋１，２，３の左端側で２、３目の編目を保持する編針を使用して、次の指袋２，３，４の編成を開始する。たとえば、指袋１の左端側の編目と指袋２の右端側の編目は重なって形成されるので、指股に孔が開かないようにすることができる。４本胴６は、指袋１，２，３，４を合わせて一つの筒状編地として編成し、４本胴６に続いて指袋５を編成する際にも、編目抑止杆を使用して股重ねを行う。以下、本明細書では、胴と指袋との間の股重ねも含めて、指袋間の股重ねと記載する場合がある。
【０００４】
図６の手袋９は、基本的に１本の編糸を使用して編成可能であるけれども、指袋１，２，３や４本胴６を編成した最後の編目から、次の指袋２，３，４，５の編成を開始する編出しの編目まで渡る編糸が生じてしまう。このように、指袋間などで渡る編糸を処理するために、ルーパーユニット（編糸保持切断装置）が用いられる（たとえば、特許文献２参照）。ルーパーユニットは、先の指袋の最後の編目の編成後に、歯口で、図に矢印で示すような作用方向で、左方から処理する部分の近傍に移動し、編糸を捕捉して切断し、生じる端糸を保持して、次の指袋の編成の初期に端糸も編込んで処理することができる。
【先行技術文献】
【特許文献】
【０００５】
【特許文献１】特公昭６１−０３２４２０号公報
【特許文献２】特公昭４８−０２４４２１号公報
【発明の概要】
【発明が解決しようとする課題】
【０００６】
特許文献１では、第１図に、作用方向を互いに対向するように形成した一対の抑糸溝を備える編目抑止杆を使用すれば、３本胴仕様の手袋が得られることを開示している。３本胴仕様の手袋は、特許文献１の第２欄第６行から第２０行に記載されているように、小指と薬指間の指股部が薬指から人差し指までの指股よりも一段深く食込んでおり、人間の手には４本胴仕様の手袋よりもよくフィットする。ただし特許文献１では、抑糸溝を対向させた編目抑止杆を編幅方向に往復移動させることは、手袋編機の大型化や複雑化を招くので、小指と３本胴との間を襠にする手袋を提案している。編目抑止杆に双方向の抑糸溝を設ける場合は、端糸の処理の問題も生じる。
【０００７】
本発明の目的は、方向に関係なく、端糸の処理を行いながら３本胴仕様の手袋を編成可能な手袋編機を提供することである。
【課題を解決するための手段】
【０００８】
本発明は、歯口を挟んで前後に対向する針床を備え、各針床に臨むキャリッジが編幅方向に往復移動し、歯口に上方から臨む給糸口を編幅方向に往復させて、一方向は前針床の編針に他方向は後針床の編針にそれぞれ給糸しながら、筒状の編地として複数の指袋を有する手袋を編成可能で、指袋間で股重ねを行うための編目抑止杆を備える手袋編機において、
先行して編成した指袋または胴の端部の編目を、編幅の一方または他方から抑えて股重ねを行うための一方側および他方側の抑糸溝をそれぞれ有する編目抑止杆と、
歯口の下方から昇降して編糸を捕捉するルーパーと、捕捉した編糸を切断し、生じる端糸を処理する機構とを含むルーパーユニットであって、一方側および他方側の抑糸溝に対して編幅の一方側または他方側にそれぞれ備えられる一方側のルーパーユニットおよび他方側のルーパーユニットと、
編目抑止杆、一方側のルーパーユニットおよび他方側のルーパーユニットを駆動して、３本の指袋を順次編成した後、３本胴を編成するように制御する制御手段と
を含むことを特徴とする手袋編機である。
【０００９】
また本発明は、前記前後に対向する針床には編針とともに歯口側で開閉する可動シンカーが並設され、前記編幅方向に往復移動するキャリッジには、編針を駆動する編成カムとともに、編成カムの一方側および他方側で可動シンカーを開くシンカーカムが搭載される
ことを特徴とする。
【００１０】
また本発明で、前記給糸口の編成前の待機と編成後の退避は、前記編幅の一方で行い、前記制御手段は、中指、薬指の指袋、３本胴の編成後の小指の指袋の編成に前記一方側の抑糸溝を使用し、４本胴の編成後の親指の指袋の編成に前記他方側の抑糸溝を使用するように制御する
ことを特徴とする。
【００１１】
また本発明で、前記制御手段は、前記３本胴を１コースのみ編成するように制御する
ことを特徴とする。
【発明の効果】
【００１２】
本発明によれば、三つの指袋から３本胴までは、一方側の抑糸溝を使用して編成し、３本胴または４本胴にもう一つの指袋を追加する際に、他方側の抑糸溝を使用して、３本胴仕様の手袋を編成することができる。一方側の抑糸溝では一方側のルーパーユニット、他方側の抑糸溝では他方側のルーパーユニットをそれぞれ使用することができ、方向に関係なく、端糸の処理を行いながら３本胴仕様の手袋が編成可能となる。
【００１３】
また本発明によれば、一方側または他方側の抑糸溝を使用する場合であっても、対応する側の可動シンカーを開にして、ルーパーユニットのルーパーが昇降する際の障害とならないようにして、編成された指袋の近傍にルーパーユニットを接近させ、端糸の処理を行わせることができる。
【００１４】
また本発明によれば、親指の指袋を編幅の他方側に設けるので、手袋としての編終りの編目を、給糸口が編成後に退避する編幅の一方側に設けることができ、親指から遠く離れて、目立たないようにすることができる。
【００１５】
また本発明によれば、３本胴仕様の手袋であっても、４本胴仕様の手袋と同様な外観にすることができる。
【図面の簡単な説明】
【００１６】
【図１】図１は、本発明の実施例１である手袋編機１０の主要部分の概略的な構成を簡略化して示す正面図である。
【図２】図２は、図１の手袋編機１０の簡略化した右側面断面図である。
【図３】図３は、図２の編成カム２１、シンカーカム２２および可動シンカー１６の構成をそれぞれ示す配置図、正面図、右側面図である。
【図４】図４は、図１の手袋編機１０で編成可能な３本胴仕様の手袋の例を示す図である。
【図５】図５は、図４（ｂ）に示す３本胴仕様の手袋を、４本胴仕様に近付けた例を示す図である。
【図６】図６は、従来からの４本胴仕様の手袋の例を示す図である。
【発明を実施するための形態】
【００１７】
以下、図１から図３で、本発明の一実施例である手袋編機１０の主要部分の概略的な構成をについて説明する。図４および図５は、手袋編機１０で編成可能な手袋の例を示す。説明の便宜上、説明対象の図には記載されていない部分について、他の図に記載される参照符を付して言及する場合がある。
【実施例】
【００１８】
図１および図２は、手袋編機１０の主要部分の概略的な構成を示す。一方の図に記載されていても、他方の図では対応する部分の図示を省略している場合がある。手袋編機１０は、前針床１１および後針床１２を有する。前針床１１および後針床１２は、歯口１３を挟んで対向する。前針床１１および後針床１２には、先端のフック１４ａが歯口１３に進退して編地を編成する編針１４がそれぞれ設けられる。編針１４は、図１の横方向で図２の紙面に垂直な方向に並設される針溝に収容される。なお、図１は図２の歯口１３から後針床１２を見る状態を示す。歯口１３の上方からは、給糸口が編幅方向に移動しながら編糸をフック１４ａに給糸して手袋の編地が編成されるけれども、給糸口の図示は省略する。
【００１９】
編針１４は、基端側がニードルジャック１５に接続される。編針１４およびニードルジャック１５には、編針１４が歯口１３に対して進退するように駆動するためのバット１４ｂ，１５ｂがそれぞれ設けられる。ニードルジャック１５は、図示を省略している選針機構の作用で、バット１５ｂが針溝に対して出没するように制御され、バット１５ｂが針溝から浮上する方向に突出すると選針状態となる。前針床１１および後針床１２が歯口１３に臨む部分の針溝間には、可動シンカー１６が配置される。可動シンカー１６は、シンカー床１７に並設するシンカー溝に収容され、先端を上方から歯口１３に進退させることができ、編針１４のフック１４ａが歯口１３から後退して編糸を引込む際に、シンカーループを形成するなどの機能を有する。
【００２０】
選針状態のバット１５ｂは、キャリッジ２０に搭載される編成カム２１の作用を受ける。キャリッジ２０は、前針床１１および後針床１２で針溝が並設されている表面に臨み、紙面に垂直な方向に往復するように移動する。シンカー床１７は、前針床１１および後針床１２でそれぞれ支持されるけれども、前針床１１側のみ示し、後針床１２側は図示を省略する。前針床１１および後針床１２の可動シンカー１６は、キャリッジ２０に取付けられるシンカーカム２２の作用を受けて歯口１３に進退する。
【００２１】
前針床１１および後針床１２が歯口１３に臨む端部には、編目抑止杆３０がそれぞれ配置される。編目抑止杆３０は、編幅方向に往復移動可能であり、一対の抑糸溝３１，３２を有する。図１では、左方を一方側、右方を他方側とする。抑糸溝３１，３２の作用は、特許文献１と同様である。編目抑止杆３０は、コントローラーなどの制御手段３４で移動や動作がそれぞれ制御される。
【００２２】
制御手段３４は、歯口１３の下方に配置する一対のルーパーユニット３５も制御する。ルーパーユニット３５は、特許文献２に開示されている構成および機能を有し、歯口１３の下方から中心線１３ａに平行に昇降して編糸を上端のフック３６ａで捕捉するルーパー３６と、捕捉した編糸を切断し、生じる端糸を処理する機構とを含む。端糸を処理する機構では、編糸の切断は鋏３７で行い、切断した端糸は板ばね３８で保持する。ルーパーユニット３５は、編幅方向に延びるように設置される案内軸３５ａ，３５ｂに沿って往復移動する。案内軸３５ａ，３５ｂは、ルーパー３６や鋏３７の駆動も行う。ルーパーユニット３５には、空気ノズル３９も備えられ、板ばね３８で保持する端糸を次の指袋などに編込む際に、空気流を発生させて端糸を編針１４のフック１４ａに導く。一方側および他方側のルーパーユニット３５は、構成も作用の方向も図の左右で対称となるように対向し、一方側および他方側の抑糸溝３１，３２にそれぞれ対応して備えられる。
【００２３】
図３は、図２のシンカーカム２２、可動シンカー１６および編成カム２１の構成をそれぞれ示し、図では上方が歯口１３側となり、前針床１１側のキャリッジ２０に配置される。後針床１２のキャリッジ２０には、水平線に対して線対称であり、上下方向が反転して対向するように、シンカーカム２２および編成カム２１が配置される。（ａ）に示すシンカーカム２２は、（ｂ）に示す可動シンカー１６の先端部１６ａを歯口１３に進退させる。先端部１６ａが歯口１３から上方に退避すると、可動シンカー１６は開になり、先端部１６ａが歯口１３に上方から進出すると、可動シンカー１６は閉になる。シンカーカム２２には、可動シンカー１６の上昇押圧部１６ｂを押圧して、可動シンカー１６を開にする凸部２２ａ，２２ｂ，２２ｃ，２２ｄ，２２ｅが設けられている。凸部２２ｂ，２２ｃ，２２ｄ，２２ｅは、（ｃ）に位相を合わせて示す編成カム２１との関係で、可動シンカー１６を開にするために従来から設けられている。本実施例では、新たに凸部２２ａを設けている。凸部２２ａは、キャリッジ２０を右行させた後で、図１の他方側のルーパーユニット３５を編成した編地に接近させるために設ける。前後の凸部２２ａによって、編成した指袋などの右側で、右方から左方にルーパーユニット３５を移動して、歯口１３の下方からルーパー３６を上昇させて編糸をフック３６ａに捕捉させる際に、干渉しないように、前後の針床１１，１２に可動シンカー１６の先端部１６ａをそれぞれ歯口１３から退避させることができる。図１の一方側のルーパーユニット３５に対しては、従来から設けられている凸部２２ｅを利用して可動シンカー１６を開にする。
【００２４】
なお、図３（ｃ）には、キャリッジ２０が左行する場合に、編針１４およびニードルジャック１５のバット１４ｂ，１５ｂが相対的に移動する軌跡も対応して示す。ただし、バット１５ｂは選針状態であり編成カム２１の作用で、編針１４で編目形成を行う。バット１５ｂが選針状態でなければ、軌跡は平坦な状態で移行する。キャリッジ２０が右行する場合も、バット１５ｂの軌跡は平坦な状態となる。基本的な平編みの編成動作では、バット１４ｂには編成カム２１が作用しないので、バット１５ｂが受ける作用に従う。図３（ａ）の凸部２２ｂ，２２ｃ，２２ｄは、編成カム２１の編針１４に対する作用に関連して、可動シンカー１６を開にするために設けられている。
【００２５】
図４は、図１の手袋編機１０で編成可能な３本胴仕様の手袋の例を示す。（ａ）に示す手袋４０は、薬指から人差指までの３本の指袋４２，４３，４４、３本胴４６、小指の指袋４１、４本胴４７、親指の指袋４５、５本胴４８を順次編成する。指袋４２，４３間、指袋４３，４４間、４本胴４７と指袋４５との間は、一方側の抑糸溝３１を作用させ、一方側のルーパーユニット３５を使用して編成する。３本胴４６と指袋４１との間は、他方側の抑糸溝３２を作用させ、他方側のルーパーユニット３５を使用して編成する。（ｂ）に示す手袋５０は、人差指から薬指までの３本の指袋５４，５３，５２、３本胴５６、小指の指袋５１、４本胴５７、親指の指袋５５、５本胴５８を順次編成する。指袋５４，５３間、指袋５３，５２間、３本胴５６と指袋５１との間は、一方側の抑糸溝３１を作用させ、一方側のルーパーユニット３５を使用して編成する。４本胴５７と指袋５１との間は、他方側の抑糸溝３２を作用させ、他方側のルーパーユニット３５を使用して編成する。これらの手袋４０，５０は、制御手段３４の制御で、切替えて編成することができる。
【００２６】
従来から、手袋編機では、編幅の左方に、給糸口を編成前に待機させ、編成後に退避させ、指袋や胴などの筒状の編地は、キャリッジ２０とともに給糸口を右行させて、後針床１２で編地を編成し、キャリッジ２０を反転して左行させると、前針床１１で編地を編成することを繰り返して形成する。同様な条件に従うと、図４（ｂ）の手袋５０に対し。制御手段３４は、中指、薬指の指袋５３，５２、３本胴５６の編成後の小指の指袋５１の編成に前記一方側の抑糸溝３１を使用し、４本胴５７の編成後の親指の指袋５５の編成に他方側の抑糸溝３２を使用するように制御する。一方側のルーパーユニット３５と抑糸溝３１は、キャリッジ２０が左方に抜けた位置で停止してシンカーカム２２の凸部２２ｅが可動シンカー１６を開にしている状態で、左方から作用させるように使用する。４本胴５７の編成後の親指の指袋５１の編成に他方側のルーパーユニット３５と抑糸溝３２を使用するときは、キャリッジ２０が右方に抜けた位置で停止して、シンカーカム２２の凸部２２ａが可動シンカー１６を開にしている状態で、右方から作用させるように制御する。親指の指袋５１は編幅の他方側に設けられるので、手袋としての編終りの編目５９を、編成後に給糸口が退避する一方側に設けることができ、編終りの編目５９で行う端糸処理の位置が親指から遠く離れて、目立たないようにすることができる。
【００２７】
図５は、図４（ａ）に示す３本胴仕様の手袋４０を、４本胴仕様に近付けた手袋４９の例を示す。手袋４９では、３本胴４６ａを１コースのみ編成するので、外観は図６に示す４本胴仕様の手袋９に近くなる。なお、図４（ｂ）に示す手袋５０でも３本胴５６を１コースのみ編成すれば、外観が図６の４本指仕様に近くても、編終りの編目５９を親指から離して目立たないようにすることができる。
【符号の説明】
【００２８】
１０  手袋編機
１１  前針床
１２  後針床
１３  歯口
１４  編針
１４ａ  フック
１４ｂ，１５ｂ  バット
１５  ニードルジャック
１６  可動シンカー
１６ａ  先端部
１６ｂ  上昇押圧部
２０  キャリッジ
２１  編成カム
２２  シンカーカム
３０  編目抑止杆
３１，３２  抑糸溝
３４  制御手段
３５  ルーパーユニット
３６  ルーパー
３７  鋏
３８  板ばね
３９  空気ノズル
４０，４９，５０  手袋
４１，４２，４３，４４，４５，５１，５２，５３，５４，５５  指袋
４６，４６ａ，５６  ３本胴
４７，５７  ４本胴
４８，５８  ５本胴
【図１】
2019073819.tif 000003
【図２】
2019073819.tif 000004
【図３】
2019073819.tif 000005
【図４】
2019073819.tif 000006
【図５】
2019073819.tif 000007
【図６】
2019073819.tif 000008